(57)【要約】【課題】容積の異なる複数品種を効率よく生産することができる冷蔵庫の組み立てシステム及び冷蔵庫を提供する。【解決手段】基礎壁３１５と、基礎壁３１５に連結される連結壁３１１〜３１４と、連結壁３１４を基礎壁３１５に連結する固定部５１とを備え、大きさの異なる複数種類の連結壁３１１〜３１４から選択した連結壁３１１〜３１４を固定部５１で基礎壁３１５に連結し、異なる容積の断熱箱体１２を組み立てることを特徴とする。【選択図】図１
2013120013.tif 000002
【特許請求の範囲】
【請求項１】
基礎壁と、前記基礎壁に連結される連結壁と、前記連結壁を前記基礎壁に連結する固定部とを備え、大きさの異なる複数種類の前記連結壁から選択した前記連結壁を前記固定部で前記基礎壁に連結し、異なる容積の断熱箱体を組み立てることを特徴とする冷蔵庫の組み立てシステム。
【請求項２】
前記固定部は、前記基礎壁及び前記連結壁と別体に設けられ、前記基礎壁と前記連結壁とを結合する結合手段をなしていることを特徴とする請求項１に記載の冷蔵庫の組み立てシステム。
【請求項３】
前記固定部は、前記基礎壁と前記連結壁との角度を９０度に保持することを特徴とする請求項１又は２に記載の冷蔵庫の組み立てシステム。
【請求項４】
冷凍サイクルにおけて冷媒を流通させる配管、蒸発器の除霜水が流れるドレインホース、及び前記固定部の少なくとも１つを備え、
異なる容積の前記断熱箱体に設けられた前記配管、前記ドレインホース、及び前記固定部が、同一形状をなしていることを特徴とする請求項１〜３のいずれか１項に記載の冷蔵庫の組み立てシステム。
【請求項５】
前記基礎壁及び前記連結壁が、内板と外板との間に設けられた断熱パネルが接着剤で前記内板及び前記外板に接着された断熱壁であることを特徴とする請求項１〜４の１項に記載の冷蔵庫の組み立てシステム。
【請求項６】
基礎壁と、前記基礎壁に連結される連結壁と、大きさの異なる複数種類の前記連結壁から選択した前記連結壁を前記基礎壁に連結し異なる容積の断熱箱体を組み立てることができる固定部とを備えることを特徴とする冷蔵庫。
【請求項７】
前記固定部は、前記基礎壁及び前記連結壁と別体に設けられ、前記基礎壁と前記連結壁とを結合する結合手段であることを特徴とする請求項６に記載の冷蔵庫。
【請求項８】
冷凍サイクルにおけて冷媒を流通させる配管、蒸発器の除霜水が排出するドレインホース、及び前記固定部の少なくとも１つを備え、
異なる容積の前記断熱箱体に設けられた前記配管、前記ドレインホース、及び前記固定部が同一形状をなしていることを特徴とする請求項６又は７に記載の冷蔵庫。
【発明の詳細な説明】
【技術分野】
【０００１】
本実施形態は、冷蔵庫の組み立てシステム及び冷蔵庫に関する。
【背景技術】
【０００２】
冷蔵庫では、内箱と外箱との間に断熱材を配設ことで、冷蔵庫の筐体を構成する断熱箱体が形成されている。
【０００３】
しかしながら、上記構成の冷蔵庫では、内箱が断熱箱体の容積に合わせた大きさの立体的な形状であり、断熱箱体の容積が異なる毎に異なる大きさの内箱が必要となるため、容積毎にサイズの異なる内箱を中間部材として用意しなければならず、広いストックスペースや中間在庫を持つ必要があり、複数品種生産に対応させることが困難になる問題がある。
【０００４】
また、内箱は、真空成形などによる樹脂成型品であることから、成形型から脱型するための抜きテーパが内箱に存在する。上記構成の冷蔵庫では、内箱と外箱との間の全部あるいは一部に発泡断熱材を充填する場合、内箱の内面を面接触状態で支持する治具が必要となるが、内箱にテーパが存在するとサイズの異なる内箱で治具を共通化することができず、各容積毎に治具が必要となる。そのため、容積の異なる品種が増えるにつれて、治具に関する設備費や治具をストックするスペースも増大し、複数品種生産に対応させることが困難になる問題がある。
【先行技術文献】
【特許文献】
【０００５】
【特許文献１】特開２０１１−２３７１２０号公報
【発明の概要】
【発明が解決しようとする課題】
【０００６】
そこで、容積の異なる複数品種を効率よく生産することができる冷蔵庫の組み立てシステム及び冷蔵庫を提供することを目的とする。
【課題を解決するための手段】
【０００７】
本実施形態の冷蔵庫の組み立てシステムは、基礎壁と、前記基礎壁に連結される連結壁と、前記連結壁を前記基礎壁に連結する固定部とを備え、大きさの異なる複数種類の前記連結壁から選択した前記連結壁を前記固定部で前記基礎壁に連結し、異なる容積の断熱箱体を組み立てることを特徴とする。
【０００８】
本実施形態の冷蔵庫は、基礎壁と、前記基礎壁に連結される連結壁と、大きさの異なる複数種類の前記連結壁から選択した前記連結壁を前記基礎壁に連結し異なる容積の断熱箱体を組み立てることができる固定部とを備えることを特徴とする。
【図面の簡単な説明】
【０００９】
【図１】第１の実施形態を示す冷蔵庫を構成する断熱箱体および固定具の斜視図
【図２】冷蔵庫の斜視図
【図３】冷蔵庫の内部を右方向から見た斜視図
【図４】冷蔵庫の内部を左方向から見た斜視図
【図５】断熱箱体の縦断側面図
【図６】断熱箱体の内部の冷蔵室を概略的に示す横断平面図
【図７】分割断熱壁の分解斜視図
【図８】断熱箱体の前面側の右部を概略的に示す横断平面図
【図９】断熱箱体の左奥側のコーナー部を概略的に示す横断平面図
【図１０】断熱箱体の左奥側のコーナー部に設けられた固定具の取り付け状態を示す斜視図
【図１１】断熱箱体の左奥側のコーナー部に固定具が取り付られる前の状態を示す斜視図
【図１２】断熱箱体の左奥側のコーナー部に設けられる固定具の斜視図
【図１３】断熱箱体の左奥側のコーナー部に設けられる固定具の正面図
【図１４】断熱箱体の左奥側のコーナー部に設けられる固定具の分解斜視図
【図１５】図１３のＡ−Ａ線に沿う断面図
【図１６】図１３のＢ−Ｂ線に沿う断面図
【図１７】図１３のＣ−Ｃ線に沿う断面図
【図１８】図１３のＤ−Ｄ線に沿う断面図
【図１９】図１３のＥ−Ｅ線に沿う断面図
【図２０】断熱箱体の左奥側のコーナー部に設けられる固定具の取り付け状態を示す横断平面図（その１）
【図２１】断熱箱体の左奥側のコーナー部に設けられる固定具の取り付け状態を示す横断平面図（その２）
【図２２】断熱箱体の右奥側のコーナー部を概略的に示す横断平面図
【図２３】断熱箱体の右奥側のコーナー部に設けられる固定具の取り付け状態を示す斜視図
【図２４】断熱箱体の右奥側のコーナー部に固定具が取り付られる前の状態を示す斜視図
【図２５】断熱箱体の右奥側のコーナー部に設けられる固定具の斜視図
【図２６】断熱箱体の右奥側のコーナー部に設けられる固定具の正面図
【図２７】断熱箱体の右奥側のコーナー部に設けられる固定具の分解斜視図
【図２８】図２６のＦ−Ｆ線に沿う断面図
【図２９】図２６のＧ−Ｇ線に沿う断面図
【図３０】図２６のＨ−Ｈ線に沿う断面図
【図３１】図２６のＩ−Ｉ線に沿う断面図
【図３２】第２の仕切り部材の右端部付近を示す縦断正面図
【図３３】左面用分割断熱壁に固定具を取り付けた状態を示す斜視図
【図３４】第２の実施形態の固定具を示す斜視図
【図３５】第２の実施形態の固定具を示す断面図
【図３６】第３の実施形態の固定具を示す断面図
【発明を実施するための形態】
【００１０】
複数の実施形態について、図面を参照して説明する。なお、図面を参照して方向を示す場合、便宜上、冷蔵庫の扉側を「前側」とし、冷蔵庫を正面から見た場合の右側を「右側」として説明する。
【００１１】
（第１の実施形態）
以下、一実施形態について、図１〜図３３を参照して説明する。
【００１２】
まず、図２に示す冷蔵庫１１は、図１〜図６に示す断熱箱体１２と、その断熱箱体１２内を冷却するための図示しない冷凍サイクルとを備えている。
【００１３】
断熱箱体１２は、図５および図６に示すように、外箱１３と、内箱１４と、外箱１３と内箱１４との間に設けられている断熱部材１５とを有している。断熱箱体１２は、前面が開口した箱状に構成され、内箱１４の内部に収容空間、例えば貯蔵室、必要に応じてダクトが設けられる空間などを形成している。
【００１４】
外箱１３は、スチール製であり、前面が開口した箱状に構成されている。外箱１３は、図１および図３〜図６に示すように、当該外箱１３を複数に分割してなる複数枚の外板からなる壁を組み合わせて構成されている。具体的には、外箱１３は、板状の上面壁１６と、平板状の底面壁１７と、平板状の右面壁１８と、平板状の左面壁１９と、平板状の背面壁２０とから構成されている。上面壁１６は、前後方向で段差状をなし、前部が底面壁１７と平行な平板状をなし、後部が前部よりも下側に位置して底面壁１７と平行な平板状をなしている。右面壁１８と左面壁１９とは左右対称の形状である。上面壁１６の後部上には、図３〜図５に示すように、機械室２１が形成されている。機械室２１には、上述した冷凍サイクルを構成する図示しない圧縮機などが設けられている。機械室２１の床面には、図５に示すように、離間部２１１が形成されている。離間部２１１は、隣り合った断熱部材１５間に隙間を設けることにより形成された開口である。この実施形態では、断熱箱体１２の上面に位置する断熱部材１５と背面に位置する断熱部材１５とが離間して配置されることにより、離間部２１１が形成されている。また、断熱箱体１２の後部の下部には冷蔵用、冷凍用、あるいは制御などに用いられる部品、凝縮器などを収容する部品収容室２１２が形成されている。また、部品収納室２１２の上面には、離間部２１３が形成されている。離間部２１３は、断熱箱体１２の底面に位置する断熱部材１５と背面に位置する断熱部材１５とが離間して配置されることにより形成されている。
【００１５】
内箱１４は、樹脂製であり、前面が開口した箱状をなし、外箱１３の内部に設けられている。内箱１４は、図１および図３〜図６に示すように、当該内箱１４を複数に分割してなる複数枚の内板からなる壁を組み合わせて構成されている。具体的には、内箱１４は、板状の上面壁２２と、平板状の底面壁２３と、平板状の右面壁２４と、平板状の左面壁２５と、平板状の背面壁２６とから構成されている。内箱１４の上面壁２２も、外箱１３の上面壁１６と同様に、前後方向で段差状をなし、前部が底面壁２３と平行な平板状をなし、後部が前部よりも下側に位置して底面壁２３と平行な平板状をなしている。右面壁２４と左面壁２５とは左右対称の形状である。
【００１６】
内箱１４の左面壁２５および背面壁２６のそれぞれには、図１および図１１に示すように、内箱１４の外面側から当該内箱１４の内面側すなわち貯蔵室側に突出する支持部材２７が複数個設けられている。なお、内箱１４の右面壁２４にも、図２４に示すように、同様の支持部材２７が設けられている。
【００１７】
支持部材２７は、例えば、樹脂製のブロックであり、図２０および図２１に示すように、基端部が断熱部材１５に接着して固定され、他端部である先端部が、内箱１４の壁、例えば図２０および図２１では左面壁２５および背面壁２６に形成した開口部２８を貫通している。さらに、内箱１４の右面壁２４における背面壁２６側の上下方向に並んで設けられている支持部材２７、および内箱１４の背面壁２６における右面壁２４側および左面壁２５側の上下方向に並んで設けられている支持部材２７の先端部側には、ねじ穴２７１が形成されている。なお、図示はしないが、内箱１４の右面壁２４における背面壁２６側の上下方向に並んで設けられている支持部材２７の突出している先端部にも、同様のねじ穴が形成されている。なお、支持部材２７が、図２０および図２１に示すように、基端部に鍔部２７２を有する構成とし、鍔部２７２が断熱部材１５と内箱１４の外面とで挟持される構成としてもよい。支持部材２７が鍔部２７２を有することにより、支持部材２７が開口部２８から貯蔵室側に落ちてしまうことを防止できる。また、支持部材２７は、内箱１４の壁とは別の部材ではなく、内箱１４に一体に成形させてもよい。
【００１８】
図５および図６に示すように、外箱１３の上面壁１６と内箱１４の上面壁２２、外箱１３の底面壁１７と内箱１４の底面壁２３、外箱１３の右面壁１８と内箱１４の右面壁２４、外箱１３の左面壁１９と内箱１４の左面壁２５、外箱１３の背面壁２０と内箱１４の背面壁２６は、それぞれ断熱部材１５を介して対向して設けられている。なお、図６に、外箱１３の右面壁１８と内箱１４の右面壁２４とが対向し、外箱１３の左面壁１９と内箱１４の左面壁２５とが対向し、外箱１３の背面壁２０と内箱１４の背面壁２６とが対向した状態を概略的に示す。
【００１９】
断熱部材１５は、断熱性能に優れたもの、例えばウレタンなどの発泡断熱材やソフトテープなどよりも熱伝導率が低いものであり、具体的には、平板状の一般的な真空断熱パネルであり、芯材と、芯材を収容する外袋体とを備えている。芯材は、断熱性の高い材料、例えばグラスウールなどの無機繊維の積層体を、例えばポリエチレンなどの合成樹脂フィルムからなる図示しない内袋体に収容した後、矩形板状に圧縮硬化して形成したものである。芯材は、その他、例えば抄紙法、加熱圧縮法などで形成してもよい。外袋体は、ガスバリア性を有する袋であり、例えばポリエチレンテレフタレートのフィルム、高密度ポリエチレンのフィルム、アルミ蒸着フィルム、アルミ箔シートなどを適宜組み合わせ積層し袋状に形成したものである。そして、断熱部材１５は、芯材を外袋体に収容した状態で当該外袋体内を減圧して、減圧を維持したまま外袋体の開口部を熱溶着などによって密閉することにより構成されている。
【００２０】
断熱部材１５は、平板状の板厚方向の一面が内箱１４の外面に接着され、かつ、一面とは反対側の他面が外箱１３の内面に接着されている。すなわち、断熱箱体１２の内部は、断熱部材１５が外板および内板に当接して配置されることにより構成されている。図７に一例として、外箱１３の左面壁１９と、外箱１３の左面壁１９に対向して設けられている内箱１４の左面壁２５との間に断熱部材１５が挟まれて設けられた構成を示す。この構成において、断熱部材１５と外箱１３の内面この場合左面壁１９との間には、断熱部材１５と左面壁１９とを接着させる接着剤２９が設けられている。さらに、断熱部材１５と内箱１４の外面この場合左面壁２５との間にも、断熱部材１５と左面壁２５とを接着させる接着剤３０が設けられている。接着剤２９，３０としては、液体状の接着剤、両面テープなどが用いられる。なお、上述した支持部材２７は、この接着剤３０によって断熱部材１５に接着されている。また、支持部材２７は、固定具５１と係合することにより、外箱１３および内箱１４に当接した構成としてもよい。
【００２１】
このように、外箱１３の壁１６〜２０と、外箱１３に対向して設けられた内箱１４の壁２２〜２６と、その外箱１３の壁１６〜２０と内箱１４の壁２２〜２６との間に設けられた断熱部材１５とを、接着剤２９，３０によって接着することにより、この外箱１３の一の壁とその外箱１３に対応する内箱１４の一の壁と、それらの壁の間に設けられた断熱部材１５とが一体となる。この一体となったものを断熱壁、この実施形態では分割断熱壁３１と称する。
【００２２】
分割断熱壁３１は、外箱１３の壁１６〜２０、内箱１４の壁２２〜２６および断熱部材１５をなす真空断熱パネルから構成され、真空断熱パネルの一面が外板に接着され、真空断熱パネルの他面が内板に接着されているので、真空断熱パネルによる断熱効果が得られるとともに、分割断熱壁３１を薄くすることができ、断熱箱体１２の壁を薄くすることができる。一例を挙げると、外箱と内箱との間にウレタンなどの発泡断熱材を充填した従来の断熱壁の厚さが約４０ｍｍであるのに対して、真空断熱パネルに外板及び内板を接着した断熱壁であると約２０ｍｍの厚さで従来の断熱壁と同程度の断熱性能が得られる。
【００２３】
なお、断熱壁および分割断熱壁３１は、分割断熱パネルと称してもよい。すなわち、断熱箱体１２は、複数の分割断熱壁３１を組み合わせて箱状に構成されている。
【００２４】
具体的には、図１に示すように、断熱箱体１２は、当該断熱箱体１２の上面壁を構成する上面用分割断熱壁３１１、当該断熱箱体１２の床面壁を構成する床面用分割断熱壁３１２、当該断熱箱体１２の右面壁である側壁を構成する右面用分割断熱壁３１３、当該断熱箱体１２の左面壁である側壁を構成する左面用分割断熱壁３１４、当該断熱箱体１２の背面壁を構成する背面用分割断熱壁３１５の５枚を組み合わせて構成されている。また、右面用分割断熱壁３１３および左面用分割断熱壁３１４は、左右対称の形状であり、対向して配置されている。
【００２５】
後で詳述するが、この実施形態では、背面用分割断熱壁３１５を基礎壁とし、その他の分割断熱壁、つまり、上面用分割断熱壁３１１、床面用分割断熱壁３１２、右面用分割断熱壁３１３、左面用分割断熱壁３１４を基礎壁３１５に連結される連結壁として断熱箱体１２を形成する。各連結壁３１１〜３１４は、大きさの異なる複数種類の分割断熱壁が存在しており、複数種類の中から選択した連結壁３１１〜３１４を基礎壁３１５に連結することで、断熱箱体１２が組み立てられる。
【００２６】
ここで、断熱箱体１２の左右の壁を形成する右面用分割断熱壁３１３および左面用分割断熱壁３１４の前端部について図３、図４および図８を参照して説明する。なお、上述したように、右面用分割断熱壁３１３と左面用分割断熱壁３１４とは左右対称であるため、右面用分割断熱壁３１３の前端部について説明する。
【００２７】
図３および図４に示すように、右面用分割断熱壁３１３の前端部の上下方向の中央部および下部付近の２箇所には、外箱１３の右面壁１８の前端部に折り曲げ部３２が形成されている。２箇所の折り曲げ部３２は同様の構成であるため、右面用分割断熱壁３１３の前端部の上下方向の中央部に設けられている折り曲げ部３２について説明する。
【００２８】
折り曲げ部３２は、図８に示すように、右面壁１８の前端部から左方向に折り曲がり、引き続き内箱１４の右面壁２４の前方において後方側に折り曲がり、さらに、断熱部材１５側に折り曲がった形状である。すなわち、折り曲げ部３２は、左右方向に延びる２つの平坦部３２１と、ほぼ３６０°に折り曲がっている湾曲部３２２とから構成され、上方から見てＵ字状をなしている。２つの平坦部３２１は、互いにほぼ対向しているとともに、断熱部材１５の前方に位置している。また、湾曲部３２２は、内箱１４の右面壁２４の前方に位置し、折り曲げ部３２の平坦部３２１の先端面が断熱箱体１２の外面に位置しないように、折り曲げ部３２の端部が後方側になるように折り曲がっている。さらに、折り曲げ部３２の湾曲部３２２と内箱１４の右面壁２４の前端部との間には開口部３３が形成されるとともに、折り曲げ部３２と断熱部材１５の前端部との間には、端部差込室３４が形成された構成となっている。すなわち、開口部３３は、端部差込室３４の入口として機能するものであり、内箱１４の右面壁２４の前端部と外箱１３の右面壁１８の折り曲げ部３２とが離間して形成されている。端部差込室３４は、空間であり、右面壁１８の折り曲げ部３２と断熱部材１５とが離間して形成されている。そして、その端部差込室３４に、仕切り板４４１と仕切り補強板４４２とが収容される構成である。また、２つの平坦部３２１には、板厚方向に貫通する貫通孔３５が形成されている。この開口部３３、端部差込室３４および貫通孔３５については、後述する。
【００２９】
断熱箱体１２の内箱１４の内部である貯蔵室は、図３および図４に示すように、当該貯蔵室の中央部に設けられた第１の仕切り部材３７と、第１の仕切り部材３７の下方に設けられた第２の仕切り部材３８とによって仕切られている。これにより、断熱箱体１２の内部には、貯蔵室が複数に分割されて複数の部屋が形成されている。具体的には、内箱１４と第１の仕切り部材３７とで囲われて冷蔵室３９が形成されている。また、内箱１４と第１の仕切り部材３７と第２の仕切り部材３８とで囲われて野菜室４０が形成されている。さらに、内箱１４と第２の仕切り部材３８とで囲われて内箱１４の下部に空間が形成されている。この空間には、製氷室４１と、第１の冷凍室４２と、製氷室４１の右隣に配置される第２の冷凍室４３とが設けられる構成である。冷蔵室３９の前面開口部には、図２に示すように、観音開き式の冷蔵室扉３９１が設けられ、野菜室４０の前面開口部には引出し式の野菜室扉４０１が設けられている。また、製氷室４１の前面開口部には引出し式の製氷室扉４１１が設けられ、第１の冷凍室４２の前面開口部には引出し式の第１の冷凍室扉４２１が設けられ、第２の冷凍室４３の前面開口部には引出し式の第２の冷凍室扉４３１が設けられている。
【００３０】
第１の仕切り部材３７は、第２の仕切り部材３８と同様の構成であるため、第１の仕切り部材３７について図８を参照して説明する。また、第１の仕切り部材３７は、左右対称の形状であるため、右側の構成について説明する。
【００３１】
第１の仕切り部材３７は、前仕切り部４４と、面仕切り部４５とから構成されている。
【００３２】
前仕切り部４４は、貯蔵室の前面開口部に設けられ、当該貯蔵室の左右方向に延びる直方体状に構成されている。前仕切り部４４は、仕切り板４４１と、仕切り補強板４４２と、仕切りカバー４４３と、仕切り断熱部材４４４とから構成されている。
【００３３】
仕切り板４４１は、金属製であり、前仕切り部４４の前面壁を構成する板部材であり、左右両端部がやや後方に折れ曲がっている。仕切り板４４１は、右端部が、右面用分割断熱壁３１３の前端部に形成されている開口部３３を通って端部差込室３４の内部に配置されている。前仕切り部４４の右端部には、貫通孔４４５が３箇所形成されている。
【００３４】
仕切り補強板４４２は、金属製であり、仕切り板４４１の引張強度が小さい場合などに設けられるものであり、上下方向の寸法が仕切り板４４１の上下方向の寸法と同様またはそれより短く調整され、左右方向の寸法が仕切り板４４１の左右方向の寸法よりも長く調整され、且つ、板厚が仕切り板４４１と同等またはそれ以上に調整された板部材であり、左右両端部がやや後方に折れ曲がっている。仕切り補強板４４２は、仕切り板４４１の背面に接して設けられている。
【００３５】
そして、仕切り板４４１の右端部が、右面用分割断熱壁３１３の前端部に形成されている開口部３３を通って端部差込室３４の内部に配置されている。これにより、仕切り板４４１の右端部は、仕切り補強板４４２の右端部と外箱１３の右面壁１８すなわち右面用分割断熱壁３１３の折り曲げ部３２とで挟まれた構成となる。また、仕切り板４４１および仕切り補強板４４２の左右両端部が後方に折れ曲がった形状であり、この端部が端部差込室３４に挿入される構成であるため、折り曲げ部３２の前面を仕切り板４４１の前面と面一に構成することができる。
【００３６】
仕切り補強板４４２の右端部は、仕切り板４４１よりも右側に位置して断面Ｌ字状をなし、外箱１３の右面壁１８の右前部分の角の形状に対応して後方に折れ曲がっている。さらに、仕切り補強板４４２の右端部には、仕切り板４４１の３箇所の貫通孔４４５に対応する３箇所のねじ穴４４６が形成されている。３箇所のうちの最も右端部側に位置するねじ穴４４６は、外箱１３の右面壁１８の折り曲げ部３２に形成した貫通孔３５に通されるねじ４６の軸部が設けられた構成となっている。また、仕切り補強板４４２の残り２箇所のねじ穴４４６にも、仕切り板４４１の貫通孔４４５に通されるねじ４７の軸部が設けられた構成となっている。これにより、仕切り板４４１の右端部および仕切り補強板４４２の右端部は、右面用分割断熱壁３１３の折り曲げ部３２に連結固定された構成となる。なお、上述したように、図示はしないが、仕切り板４４１の左端部および仕切り補強板４４２の左端部も、上述した右端部と同様な構成であり、外箱１３の左面壁１９すなわち左面用分割断熱壁３１４の図示しない折り曲げ部に連結固定された構成となっている。すなわち、仕切り板４４１は、右面用分割断熱壁３１３と左面用分割断熱壁３１４とを貯蔵室の前面開口部において連結固定する連結部材として機能し、折り曲げ部３２は被連結部材として機能している。
【００３７】
仕切りカバー４４３は、金属製であり、前面が開口した箱状をなし、仕切り板４４１とともに前仕切り部４４の直方体の外周壁を形成するものである。そして、仕切りカバー４４３と仕切り板４４１とで形成される直方体の空間に、仕切り断熱部材４４４が設けられている。仕切りカバー４４３は、支持部材２７によって支持されている。すなわち、仕切りカバー４４３は、下部に図示しない取付部を有し、この取付部がねじによって支持部材２７に固定される構成である。
【００３８】
仕切り断熱部材４４４は、発泡スチロールやウレタンなどの断熱部材からなり、直方体状に形成されている。
【００３９】
面仕切り部４５は、図３および図４にも示すように、断熱性を有する樹脂製の矩形状の板部材であり、真空断熱パネルなどの板状の断熱部材の周囲を樹脂製の板で覆ったものである。面仕切り部４５は、内箱１４の支持部材２７上に載置されて保持されているとともに、前端部が前仕切り部４４の背面に接して設けられ、左右両端部が内箱１４の右面壁２４および左面壁２５に接して設けられている。なお、第１の仕切り部材３７の面仕切り部４５の後端部は、内箱１４の背面壁２６に対して隙間を開けて設けられている。これにより、冷蔵室３９と野菜室４０とは連通した構成となっている。一方、第２の仕切り部材３８の面仕切り部４５の後端部は、内箱１４の背面壁２６に接して設けられている。これにより、野菜室４０と製氷室４１とは第２の仕切り部材３８によって断熱されるとともに、野菜室４０と第２の冷凍室４３とも第２の仕切り部材３８によって断熱された構成となっている。
【００４０】
分割断熱壁３１は、図１および図３〜図６に示すように、隣り合う他の分割断熱壁３１に対して固定具５１を介して連結固定されている。すなわち、内箱１４は、複数に分割された壁２２〜２６において、一の壁に隣り合う他の壁によって形成されるコーナー部において、これらの２つの壁が固定具５１を介して連結固定された構成となっている。
【００４１】
固定具５１は、内箱１４にあって上面壁２２と右面壁２４とで形成されるコーナー部、上面壁２２と左面壁２５とで形成されるコーナー部、上面壁２２と背面壁２６とで形成されるコーナー部、底面壁２３と右面壁２４とで形成されるコーナー部、底面壁２３と左面壁２５とで形成されるコーナー部、底面壁２３と背面壁２６とで形成されるコーナー部に設けられている。言い換えると、固定具５１は、隣り合って離間している２つの分割断熱壁３１を連結固定する固定部となる。
【００４２】
また、内箱１４の後部のコーナー部、例えば左面壁２５と背面壁２６とで形成される左奥側のコーナー部には、図６および図９に示すように、電線５２が配置されている。電線５２は、例えば図示しない制御手段たる制御装置と当該制御装置からの信号を受けて駆動する図示しない送風ファンなどの部品とをつなぐ電線、あるいは、制御装置と各種センサとをつなぐ電線であり、例えば、当該コーナー部に沿って延びている。電線５２は、複数本の電線を束ねて構成されている。なお、図面では、複数本の電線が束ねられて断面が円形の状態となった電線５２を示す。
【００４３】
さらに、内箱１４の後部であって電線５２が設けられているコーナー部とは異なるコーナー部、例えば左面壁２５と背面壁２６とで形成される右奥側のコーナー部には、図６および図２２に示すように、配管５３が配置されている。配管５３は、具体的には、図示しない冷蔵用の蒸発器とコンプレッサとをつなぐサクションパイプおよび冷凍用の蒸発器とコンプレッサとをつなぐサクションパイプなど冷凍サイクルにおけて冷媒を流通させる配管であり、例えば当該コーナー部に沿って延びている。配管５３は、例えば、冷蔵に用いられる冷媒が通るものと、冷凍に用いられる冷媒が通るものとの２本設けられている。
【００４４】
内箱１４の各コーナー部に設けられている固定具５１のうち、内箱１４において左面壁２５と背面壁２６とで形成されるコーナー部に設けられている固定具５１１、および、右面壁２４と背面壁２６とで形成されるコーナー部に設けられている固定具５１２は、分割断熱壁３１と別体に設けられている点で分割断熱壁３１と一体に設けられた他の固定具と相違しているが、その他の点で内箱１４の各コーナー部に設けられている固定具５１はよく似た構成であるため、以下、分割断熱壁３１と別体に設けられた固定具５１１及び固定具５１２について説明する。なお、固定具５１２の説明においては、固定具５１１と共通する部分についての説明を省略する。また、上述の電線５２および配管５３の構成についても説明する。
【００４５】
まず、固定具５１１について図１、図９〜図２１を参照して説明する。
【００４６】
固定具５１１は、図１、図９および図１０に示すように、全体として断面直角三角形の柱状をなし、内箱１４の左面壁２５と背面壁２６とで形成されるコーナー部に沿って上下方向に延びた形状をなしている。図９は、電線５２が設けられているコーナー部付近を概略的に示すものである。図１０は、コーナー部に固定具５１１を設けた後の当該コーナー部を示すものである。なお、図１１は、当該コーナー部に固定具５１１が設けられる前の当該コーナー部を示している。
【００４７】
固定具５１１は、図１２〜図１４に示すように、断面直角三角形の筒状を構成する固定カバー５４および補強部材５５と、筒状の内部を構成するコーナー用断熱部材５６とを有している。
【００４８】
固定カバー５４は、樹脂製であり、上下方向に長い矩形の板部材であり、コーナー部に設けられている電線５２の前側を覆うようにして配置されている。すなわち、冷蔵庫１１の使用者側から電線５２が見えないように固定カバー５４が配置されている。固定カバー５４の前面には、図１４〜図２１に示すように、ねじ５７の軸部を貫通させるための貫通孔５８が形成されている。固定カバー５４の貫通孔５８は、長手方向に直交する幅方向において両端部の複数個所に形成されている。この貫通孔５８は、他方側の端部の貫通孔５８が極力離れるように、他方側の端部に位置する貫通孔５８と上下方向がずれて配置されている。すなわち、固定カバー５４の貫通孔５８は、例えば図１３に示すように、固定カバー５４の長手方向に沿ってジグザグ状に配置されている。
【００４９】
固定カバー５４の貫通孔５８のうち正面から見て左側に位置する貫通孔５８の軸方向は、図１５、図１７、図１９および図２０に示すように、当該固定カバー５４が内箱１４のコーナー部に設けられたときに内箱１４の左面壁２５に直交する方向である。また、固定カバー５４の貫通孔５８のうち正面から見て右側に位置する貫通孔５８の軸方向は、図１５、図１６、図１８および図２１に示すように、当該固定カバー５４が内箱１４のコーナー部に設けられたときに当該内箱１４の背面壁２６に直交する方向である。
【００５０】
固定カバー５４は、図１、図１２および図１３に示すように、固定具５１１が設けられるコーナー部の延びている方向の長さにおいて２個に分割されたパーツから構成されている。この構成により、固定カバー５４の取扱いが容易になるとともに、ねじれなどの変形がしにくくなる。以下、固定カバー５４のうち上側のパーツを上固定カバー５４１と称し、下側のパーツを下固定カバー５４２と称する。上固定カバー５４１は内箱１４の冷蔵室３９および野菜室４０のコーナー部に配置され、下固定カバー５４２が内箱１４の製氷室４１および第１の冷凍室４２のコーナー部に配置される構成である。固定カバー５４のうち上固定カバー５４１と下固定カバー５４２とが連結する部分言い換えると分割部分は、図１５に示すように左奥側のコーナー部側に突出し、後述する補強部材５５に当接している。また、図１０および図１２〜図１４に示すように、上固定カバー５４１の長手方向の中央部には端部側が開口した開口部５９が形成され、下固定カバー５４２の長手方向の中央部にも端部側が開口した開口部６０が形成されている。
【００５１】
補強部材５５は、固定具５１の固定カバー５４の強度を補強するものであり、樹脂製であり、図９、図１２および図１４に示すように、固定具５１１の断面二等辺三角形の残りの二辺を形成するカバー、具体的には直角の角を形成する断面Ｌ字状の板部材からなり、長手方向の長さが固定カバー５４の長手方向の長さと同じに調整されている。補強部材５５は、断面Ｌ字状をなす二辺のうちの一辺が内箱１４の左面壁２５すなわち左面用分割断熱壁３１４に対向して配置され、残りの一辺が内箱１４の背面壁２６すなわち背面用分割断熱壁３１５に対向して配置されている。
【００５２】
この補強部材５５の直角部分が内箱１４のコーナー部に対応して配置される構成である。すなわち、補強部材５５の断面Ｌ字状の直角部分が内箱１４のコーナー部の角に最も近づいた状態になるようにして、固定具５１１が当該コーナー部に配置されている。そして、補強部材５５の断面Ｌ字状の開いている側の開口部が固定カバー５４によって覆われる構成である。言い換えると、補強部材５５は、隣り合う分割断熱壁３１の端部間すなわち隣り合う分割断熱壁３１の離間している部分を横断して配置され、分割断熱壁３１間の断熱効果の小さい所に配置された構成である。
【００５３】
補強部材５５の長手方向に直交する幅方向の両端部には、複数のねじ穴６１および複数の貫通孔６２が形成されている。複数のねじ穴６１および複数の貫通孔６２は、固定カバー５４の貫通孔５８に対応して、補強部材５５の長手方向に沿ってジグザグ状に配置されている。
【００５４】
補強部材５５の貫通孔６２は、固定カバー５４側に膨出している膨出部６３に形成されている。すなわち、膨出部６３も補強部材５５の長手方向に沿ってジグザグ状に配置されている。補強部材５５の貫通孔６２の軸方向は、固定カバー５４が補強部材５５に取り付けられたときに、固定カバー５４の貫通孔５８の軸方向に一致する構成である。補強部材５５の貫通孔６２には、ねじ５７の軸部が貫通する構成である。
【００５５】
補強部材５５のねじ穴６１は、図１４、図１５、図１６および図１９に示すように、固定カバー５４側に突出した円筒状をなし、内部にねじ山が形成されたものである。補強部材５５のねじ穴６１は、固定カバー５４が補強部材５５に取り付けられたときに、固定カバー５４の貫通孔５８の軸方向に一致し、ねじ５７と螺合する構成となっている。
【００５６】
この補強部材５５も、図１４に示すように、固定具５１１が設けられるコーナー部の延びている方向の長さにおいて２個に分割されたパーツから構成されている。補強部材５５の分割位置は、固定カバー５４の分割位置と同じである。以下、補強部材５５のうち上側のパーツを上補強部材５５１と称し、下側のパーツを下補強部材５５２と称する。この構成によって、上補強部材５５１も、冷蔵室３９および野菜室４０のコーナー部に配置され、下補強部材５５２が内箱１４の製氷室４１および第１の冷凍室４２のコーナー部に配置される構成である。
【００５７】
コーナー用断熱部材５６は、例えば図９に示すように、固定具５１１の固定カバー５４に覆われるようにコーナー部に配置されたものであり、具体的には上述したように固定具５１１に囲われて設けられている。すなわち、コーナー用断熱部材５６は、隣り合う分割断熱壁３１の端部間である離間している部分を覆うように配置されている。コーナー用断熱部材５６は、図１４に示すように、発泡スチロールなどの断熱部材を三角柱に形成したものである。コーナー用断熱部材５６の長手方向に直交する幅方向の両端部側には、複数の切欠き部６４が形成されている。切欠き部６４は、固定カバー５４の貫通孔５８、補強部材５５のねじ穴６１および貫通孔６２に設けられるねじ５７に干渉しないように、コーナー用断熱部材５６の長手方向に沿ってジグザグ状に配置されている。このコーナー用断熱部材５６も、固定具５１１が設けられるコーナー部の延びている方向の長さにおいて２個に分割されたパーツから構成されている。コーナー用断熱部材５６の分割位置は、固定カバー５４の分割位置と同じである。以下、コーナー用断熱部材５６のうち上側のパーツを上コーナー用断熱部材５６１と称し、下側のパーツを下コーナー用断熱部材５６２と称する。この場合、上コーナー用断熱部材５６１は、上固定カバー５４１および上補強カバー５５１によって挟まれて設けられている。また、下コーナー用断熱部材５６２は、下固定カバー５４２および下補強カバー５５２によって挟まれて設けられている。この構成によって、上コーナー用断熱部材５６１も、冷蔵室３９および野菜室４０のコーナー部に配置され、下コーナー用断熱部材５６２が内箱１４の製氷室４１および第１の冷凍室４２のコーナー部に配置される構成である。
【００５８】
上記構成によって、固定具５１１は、全体として、コーナー部に沿って延びる方向において２個に分割可能な構成となっている。なお、上コーナー用断熱部材５６１は、下コーナー用断熱部材５６２に対して離間して設けられている。すなわち、図１５に示すように、固定カバー５４の分割部分では、固定具５１１の分割部分の前面がコーナー部側に凹んだ形状になっている。
【００５９】
また、上コーナー用断熱部材５６１の長手方向の中央部には固定カバー５４１の開口部５９に対応して端部側が開口した開口部６５が形成され、下コーナー用断熱部材５６２の長手方向の中央部にも固定カバー５４１の開口部６０に対応して端部側が開口した開口部６６が形成されている。
【００６０】
また、コーナー用断熱部材５６の長手方向に直交する断面における直角部分、すなわち内箱１４のコーナー部の角に近接する部位には、長手方向に延びる凹状の収容部６７が形成されている。このコーナー用断熱部材５６の収容部６７には、上述した電線５２が収容されている。すなわち、固定具５１１は、筒状の内部に電線５２を収容した構成となっている。収容部６７に収容されている電線５２は、収容部６７の内周面が保持部となって当該保持部によって所定の位置からずれないように保持されているとともに、図示しないフックなどの保持部などでも保持されている。すなわち、電線５２と固定具５１１とは一体された構成となっている。電線５２は、一部がコーナー用断熱部材５６の開口部６５を通って上固定カバー５４１の開口部５９から貯蔵室側に出ており、また他の一部もコーナー用断熱部材５６の開口部６６を通って下固定カバー５９２の開口部６０から貯蔵室側に出ており、さらに他の一部が固定具５１１の上端面から外側に出ており離間部２１１を通って機械室２１に導かれている。すなわち、固定具５１１の開口部５９，６０は、固定具５１１の内部に収容されている電線５２の一部を貯蔵室側に導くためのものである。なお、さらに、電線５２の一部を固定具５１１の下端面から、離間部２１３を通って部分収容室２１２に導かれるようにしてもよい。
【００６１】
電線５２は、図１３に示すように、固定カバー５４の開口部５９，６０から貯蔵室側に出ている部分に接続部６８を有している。また、電線５２は、固定具５１１の上端面から外側に延びている先端部にも接続部６８を有している。これらの接続部６８は、樹脂製であり、他の電線の接続部と接続可能なプラグ状の構成となっている。他の電線は、例えば制御装置や送風ファンなどの部品に接続されている。
【００６２】
固定カバー５４と補強部材５５との間、具体的には固定カバー５４の幅方向の端部と補強部材５５の幅方向の端部との間には、図１４および図１６〜図１９に示すように、第１のシール部材７１が設けられている。第１のシール部材７１は、固定カバー５４および補強部材５５の長手方向に沿って長く延びる部材であり、例えばソフトテープから構成されている。これにより、固定カバー５４と補強部材５５との間が第１のシール部材７１によってシールされた構成となる。
【００６３】
補強部材５５とこの補強部材５５に近接する内箱１４の壁、具体的には補強部材５５と左面壁２５すなわち左面用分割断熱壁３１４との間、および補強部材５５と背面壁２６すなわち背面用分割断熱壁３１５との間には、図１４〜図１９に示すように、第２のシール部材７２が設けられている。第２のシール部材７２は、固定カバー５４および補強部材５５の長手方向に沿って長く延びる部材であり、例えばソフトテープから構成されている。これにより、補強部材５５とこの補強部材５５に近接する分割断熱壁３１との間が第２のシール部材７２によってシールされた構成となる。
【００６４】
図９に示すように、分割断熱壁３１の端部、例えば左面用分割断熱壁３１４と背面用分割断熱壁３１５とが突き合されている部分には、第３のシール部材７３が設けられている。第３のシール部材７３は、固定カバー５４および補強部材５５の長手方向に平行に延びている部材であり、例えばソフトテープから構成されている。これにより、左面用分割断熱壁３１４と背面用分割断熱壁３１５との間が第３のシール部材７３によってシールされた構成となる。なお、図２０および図２１では、第３のシール部材の図示を省略する。
【００６５】
固定具５１１は、図１４〜図１９に示すように、固定カバー５４と補強部材５５とによってコーナー用断熱部材５６を挟み、コーナー用断熱部材５６の収容部６７に電線５２を収容し、固定カバー５４の幅方向の端部と補強部材５５の幅方向の端部とを合わせて構成されている。そして、このように固定カバー５４を補強部材５５に合わせた状態で、ねじ５７の軸部を固定カバー５４の貫通孔５８に通して補強部材５５のねじ穴６１に螺合させることにより、固定カバー５４が補強部材５５に固定された構成となっている。また、固定カバー５４が補強部材５５に固定されることにより、コーナー用断熱部材５６も固定具５１１の内部に固定された構成となり、電線５２も固定具５１１の内部に固定された構成となっている。したがって、固定カバー５４と、補強部材５５と、コーナー用断熱部材５６と、電線５２とが一体化した構成となっている。
【００６６】
なお、上固定カバー５４１と下固定カバー５４２との分割部分では、図１５に示すように、１対のねじ５７，５７によって固定カバー５４が補強部材５５に固定されている。そして、固定具５１１の分割部分には、第２の仕切り部材３８の後端部の左部が当接して配置される構成となっている。
【００６７】
また、図２０および図２１に示すように、ねじ５７を固定カバー５４の貫通孔５８および補強部材５５の貫通孔６２に通して内箱１４の支持部材２７のねじ穴に螺合させることにより、固定具５１１が内箱１４のコーナー部に固定された構成となっている。
【００６８】
このとき、固定カバー５４と補強部材５５との間が第１のシール部材７１によってシールされ、固定具５１とこの固定具５１に近接する分割断熱壁３１との間が第２のシール部材７２によってシールされ、左面用分割断熱壁３１４と背面用分割断熱壁３１５との間が第３のシール部材７３によってシールされた構成となる。
【００６９】
さらに、左面用分割断熱壁３１４および背面用分割断熱壁３１５は、第２のシール部材７２を介して補強部材５５に対向した配置となる。これにより、隣り合う左面用分割断熱壁３１４および背面用分割断熱壁３１５が固定具５１１によって連結固定されるとともに、左面用分割断熱壁３１４と背面用分割断熱壁３１５とで形成される隣り合う分割断熱壁３１４，３１５の角度が、補強部材５５の直角部分に対応して９０°に保持される。すなわち、補強部材５５は、左面用分割断熱壁３１４および背面用分割断熱壁３１５のそれぞれに対向して配置され、隣り合う壁すなわち分割断熱壁３１の角度を９０°に保持する角度保持部として機能している。
【００７０】
次に、固定具５１２について図２２〜図３１を参照して説明する。
【００７１】
固定具５１２は、図２２および図２３に示すように、全体として断面直角三角形の柱状をなし、内箱１４の右面壁２４と背面壁２６とで形成されるコーナー部に沿って上下方向に延びた形状をなしている。図２２は、配管５３が設けられているコーナー部付近を概略的に示すものである。図２３は、コーナー部に固定具５１２を設けた後の構成を示すものである。なお、図２４は、当該コーナー部に固定具５１２を設ける前の構成を示している。
【００７２】
固定具５１２は、図２５〜図２７に示すように断面直角三角形の筒状を構成する固定カバー８１および補強部材８２と、筒状の内部を構成するコーナー用断熱部材８３とを有している。
【００７３】
固定カバー８１は、固定カバー５４とほぼ同様な構成であり、上下方向に長い矩形の板部材であり、コーナー部に設けられている配管５３の前側を覆うようにして配置されている。すなわち、冷蔵庫１１の使用者側から配管５３が見えないように固定カバー８１が配置されている。固定カバー８１には、固定カバー５４の貫通孔５８と同様の貫通孔８４が複数個所に形成されている。また、固定カバー８１も、図２７に示すように、固定具５１２が設けられるコーナー部の延びている方向の長さにおいて２個に分割されたパーツから構成され、固定カバー８１のうち上側のパーツを構成する上固定カバー８１１と、下側のパーツを構成する下固定カバー８１２とから構成されている。上固定カバー８１１と下固定カバー８１２とが連結する部分すなわち分割部分は、図２８に示すように右奥側のコーナー部側に突出した形成である。また、上固定カバー８１１の長手方向の中央部には、図２７に示すように、外側に突出して延びる第１の突出部８５を有し、この第１の突出部に開口部８６が形成されている。また、図２３および図２５〜図２７に示すように、下固定カバー８１２の長手方向の中央部にも、外側に突出して延びる第２の突出部８７を有し、この第２の突出部８７に開口部８８が形成されている。
【００７４】
補強部材８２は、補強部材５５とほぼ同様な構成であり、図２７に示すように、固定具５１２の断面二等辺三角形の残りの二辺を形成する断面Ｌ字状の板部材である。この補強部材８２の直角部分が内箱１４のコーナー部に対応して配置される構成である。そして、補強部材８２の断面Ｌ字状の開いている側の開口部を覆うようにして固定カバー８１が設けられる構成である。
【００７５】
補強部材５５の長手方向に直交する幅方向の両端部には、複数のねじ穴８９および複数の貫通孔９０が形成されている。補強部材８２のねじ穴８９および貫通孔９０も、補強部材５５のねじ穴６１および貫通孔６２と同様の構成である。また、この補強部材８２も、固定具５１２が設けられるコーナー部の延びている方向の長さにおいて２個に分割されたパーツから構成され、補強部材８２のうち上側のパーツを構成する上補強部材８２１と、下側のパーツを構成する下補強部材８２２とから構成されている。また、上補強部材８２１は、当該上補強部材８２１の長手方向の中央部すなわち第１の突出部８５に対応する位置に外側に突出して延びる第１の補強用突出部９１を有している。第１の補強用突出部９１は、第１の突出部８５とともに筒状を形成するものである。さらに、下補強部材８２２も、当該下補強部材８２２の長手方向の中央部すなわち第２の突出部８７に対応する位に外側に突出して延びる第２の補強用突出部９２を有している。第２の補強用突出部９２も、第２の突出部８７とともに筒状を形成するものである。
【００７６】
コーナー用断熱部材８３は、コーナー用断熱部材５６とほぼ同様な構成であり、固定具５１２の固定カバー８１に覆われるようにコーナー部に配置されている。すなわち、コーナー用断熱部材８３も、隣り合う分割断熱壁３１の端部間である離間している部分を覆うように配置されている。コーナー用断熱部材８３は、図２７に示すように、発泡スチロールなどの断熱部材を三角柱に形成したものであり、幅方向の両端部側に複数の切欠き部９３が形成されている。この切欠き部９３は、コーナー用断熱部材５６の切欠き部６４と同様な構成である。また、このコーナー用断熱部材８３も、固定具５１２が設けられるコーナー部の延びている方向の長さにおいて２個に分割されたパーツから構成され、コーナー用断熱部材８３のうち上側のパーツを構成する上コーナー用断熱部材８３１と、下側のパーツを構成する下コーナー用断熱部材８３２とから構成されている。この場合、上コーナー用断熱部材８３１は、上固定カバー８１１１および上補強カバー８２１によって挟まれて設けられている。また、下コーナー用断熱部材８３２は、下固定カバー８１２および下補強カバー８２２によって挟まれて設けられている。
【００７７】
上記構成によって、固定具５１２は、全体として、コーナー部に沿って延びる方向において２個に分割可能な構成となっている。なお、上コーナー用断熱部材８３１は、下コーナー用断熱部材８３２に対して離間して設けられている。すなわち、図２８に示すように、固定カバー８１の分割部分では、当該固定カバー８１のコーナー部側の面が補強部材８２に接しており、固定具５１の分割部分の前面がコーナー部側に凹んだ形状になっている。
【００７８】
また、上コーナー用断熱部材８３１は、図２７に示すように、当該上コーナー用断熱部材８３１の長手方向の中央部すなわち第１の突出部８５に対応する位置に外側に突出して延びる第１の断熱用突出部９４を有し、この第１の断熱用突出部９４に開口部９５が形成されている。第１の断熱用突出部９４は、第１の補強用突出部９１と第１の突出部８５とで形成される筒状部分に収容される構成である。さらに、下コーナー用断熱部材８３２も、当該下コーナー用断熱部材８３２の長手方向の中央部すなわち第２の突出部８７に対応する位置に外側に突出して延びる第２の断熱用突出部９６を有し、この第２の断熱用突出部９６に開口部９７が形成されている。第２の断熱用突出部９６は、第２の補強用突出部９２と第２の突出部８７とで形成される筒状部分に収容される構成である。
【００７９】
また、コーナー用断熱部材８３の長手方向に直交する断面における直角部分、すなわち内箱１４のコーナー部の角に近接する部位には、長手方向に延びる凹状の収容部９８が形成されている。このコーナー用断熱部材８３の収容部９８には、上述した配管５３が収容されている。すなわち、固定具５１２は、筒状の内部に配管５３を収容した構成となっている。収容部９８に収容されている配管５３は、収容部９８の内周面が保持部となって当該保持部によって保持されているとともに、図示しないフックなどの保持部などでも保持されている。すなわち、配管５３と固定具５１２とは一体された構成となっている。なお、収容部９８に収容されている配管５３は、コーナー部の部位によっては複数本収容されている。
【００８０】
配管５３は、一部がコーナー用断熱部材８３の開口部９５を通って上固定カバー８１１の開口部８６から貯蔵室側に出ており、他の一部がコーナー用断熱部材８３の開口部９７を通って下固定カバー８１２の開口部８８から貯蔵室側に出ており、さらに他の一部が固定具５１２の上端面から外側に出ており離間部２１１を通って機械室２１に導かれている。すなわち、固定具５１２の開口部８６，８８は、固定具５１２の内部に収容されている配管５３の一部を貯蔵室側に導くためのものである。なお、さらに、配管５３の一部を固定具５１２の下端面から、離間部２１３を通って部分収容室２１２に導かれるようにしてもよい。
【００８１】
配管５３は、図２６に示すように、固定カバー８１の開口部８６，８８から貯蔵室側に出ている部分に溶着部９９を有している。また、配管５３は、固定具５１２の上端面から外側に延びている先端部にも溶着部９９を有している。これらの溶着部９９は、他の配管の溶着部と溶着可能な構成、例えば配管５３の直径が他の配管よりも大きい構成となっている。他の配管は、冷蔵用の蒸発器、冷凍用の蒸発器、コンプレッサに接続されている。この実施形態では、上固定カバー８１１の開口部８６から貯蔵室側に延びる配管５３が冷蔵用の蒸発器に接続され、下固定カバー８１２の開口部８８から貯蔵室側に延びる配管が冷凍用の蒸発器に接続され、固定具５１２の上端面から外側に延びる配管が機械室２１に設けられているコンプレッサに接続されるように、配管５３の溶着部９９と他の配管の溶着部とが溶着される構成となっている。
【００８２】
固定カバー８１と補強部材８２との間、具体的には固定カバー８１の幅方向の端部と補強部材８２の幅方向の端部との間には、固定具５１１に設けた第１のシール部材７１と同様の第１のシール部材１０１が設けられている。
【００８３】
補強部材８２とこの補強部材８２に近接する内箱１４の壁、具体的には補強部材８２と右面壁２４すなわち右面用分割断熱壁３１３との間、補強部材８２と背面壁２６すなわち背面用分割断熱壁３１５との間には、図２７〜図３１に示すように、第２のシール部材７２と同様の第２のシール部材１０２が設けられている。
【００８４】
また、図２２に示すように、右面用分割断熱壁３１３と背面用分割断熱壁３１５とが突き合されている部分には、第３のシール部材７２と同様の第３のシール部材１０３が設けられている。
【００８５】
固定具５１２は、図２６〜図３１に示すように、固定カバー８１と補強部材８２とによってコーナー用断熱部材８３を挟み、コーナー用断熱部材８３の収容部９８に配管５３を収容し、固定カバー８１の幅方向の端部と補強部材８２の幅方向の端部とを合わせて構成されている。そして、このように固定カバー８１を補強部材８２に合わせた状態で、ねじ５７の軸部を固定カバー８１の貫通孔８４に通して補強部材８２のねじ穴８９に螺合させることにより、固定カバー８１が補強部材８２に固定された構成となっている。また、固定カバー８１が補強部材８２に固定されることにより、コーナー用断熱部材８３も固定具５１の内部に固定された構成となり、配管５３も固定具５１２の内部に固定された構成となっている。この上固定カバー８１１と下固定カバー８１２の分割部分にも、第２の仕切り部材３８の後端部の右部が当接して配置され、この分割部分を覆う構成となっている。
【００８６】
なお、上固定カバー８１１と下固定カバー８１２との分割部分では、図２８に示すように、１対のねじ５７，５７によって固定カバー８１が補強部材８２に固定されている。そして、固定具５１２の分割部分には、第２の仕切り部材３８の後端部の右部が当接して配置される構成となっている。
【００８７】
また、図示しないねじの軸部を、図３０に示すように、固定カバー８１の貫通孔８４および補強部材８２の貫通孔９０に通して内箱１４の図示しない支持部材のねじ穴に螺合させることにより、固定具５１２が内箱１４のコーナー部に固定された構成となる。なお、図示はしないが、固定具５１２は、同様な構成によって背面壁２６の支持部材にも固定されている。
【００８８】
このとき、固定カバー８１と補強部材８２との間が第１のシール部材１０１によってシールされ、固定具５１とこの固定具５１に近接する分割断熱壁３１との間が第２のシール部材１０２によってシールされ、右面用分割断熱壁３１３と背面用分割断熱壁３１５との間が第３のシール部材１０３によってシールされる。
【００８９】
また、補強部材８２は、第２のシール部材１０２を介して右面用分割断熱壁３１３および背面用分割断熱壁３１５のそれぞれに対向した配置となる。これにより、隣り合う右面用分割断熱壁３１３および背面用分割断熱壁３１５が固定具５１２によって連結固定されるとともに、右面用分割断熱壁３１３と背面用分割断熱壁３１５とで形成される隣り合う壁の角度が、補強部材８２の直角部分に対応して９０°に保持される。すなわち、補強部材８２も、隣り合う壁の角度を９０°に保持する角度保持部として機能している。
【００９０】
次に、固定具５１２の固定カバー８１の開口部８８から貯蔵室側に導かれている配管５３の一部について図３２を参照して説明する。図３２に示すように、内箱１４の内部において第２の仕切り部材３８の面仕切り部４５と内箱１４の右面壁２４との間には、仕切り部用断熱部材１０５が設けられている。仕切り部用断熱部材１０５は、発泡スチロールなどからなる断熱部材であり、前後方向に延びるブロック状をなしている。仕切り部用断熱部材１０５には、内箱１４側が開口した凹部１０６が形成されている。そして、凹部１０６の内部には、固定具５１２の開口部８８から貯蔵室側に出た配管５３の一部が設けられた構成となっている。すなわち、固定具５１２の開口部８８から出ている配管５３の一部は、第２の仕切り部材３８の縁部の前後方向に沿って設けられた構成となっている。
【００９１】
この仕切り部用断熱部材１０５の上面、前面および左面は、第２の仕切り部材３８の面仕切り部４５から延びている部材によって覆われている。
【００９２】
なお、図示はしないが、内箱１４の内部において第２の仕切り部材３８の面仕切り部４５と内箱１４の左面壁２５との間にも、上述の仕切り断熱部材などを設けて、固定具５１２の開口部６０から出ている電線５２の一部が、第２の仕切り部材３８の縁部の前後方向に沿って設けられる構成としてもよい。
【００９３】
上記した一実施形態による冷蔵庫１１の組み立てシステムを図１および図３３を参照して説明する。ここでは、断熱箱体１２を構成する分割断熱壁３１のうち、１の分割断熱壁（例えば、背面用分割断熱壁３１５）を基礎壁とし、その他の分割断熱壁（例えば、上面用分割断熱壁３１１、床面用分割断熱壁３１２、右面用分割断熱壁３１３及び左面用分割断熱壁３１４）を連結壁とし、連結壁毎に大きさの異なる複数種類を用意し、固定具５１を介して基礎壁に連結する連結壁の種類を変更することで、異なる容積の断熱箱体１２を組み立てる場合について説明する。
【００９４】
まず、図１に示す分割断熱壁３１を製作する。つまり、基礎壁である背面用分割断熱壁３１５と、連結壁である上面用分割断熱壁３１１、床面用分割断熱壁３１２、右面用分割断熱壁３１３及び左面用分割断熱壁３１４を製作する。
【００９５】
連結壁３１１〜３１４は、基礎壁３１５に対して固定部である固定具５１を介して連結可能であって、連結壁３１１〜３１４毎に複数種類の奥行き寸法の分割断熱壁が製作される。なお、各連結壁３１１〜３１４は、連結壁３１５だけでなく隣り合う連結壁３１１〜３１４にも連結されるため、連結壁３１１〜３１４の間で同じ奥行き寸法の分割断熱壁が存在するように各連結壁３１１〜３１４の奥行き寸法が設定されている。
【００９６】
具体例を挙げると、幅寸法が７５０ｍｍ、高さ寸法が１２００ｍｍの基礎壁である背面用分割断熱壁３１５に対して、上面用分割断熱壁３１１及び床面用分割断熱壁３１２は、幅寸法が基礎壁３１５と同じ７５０ｍｍで、奥行き寸法が５００ｍｍ、６００ｍｍ、７００ｍｍ、７３０ｍｍの４種類の分割断熱壁が製作され、右面用分割断熱壁３１３及び左面用分割断熱壁３１４は、高さ寸法が１８００ｍｍで、奥行き寸法が、上面用分割断熱壁３１１及び床面用分割断熱壁３１２と同様で５００ｍｍ、６００ｍｍ、７００ｍｍ、７３０ｍｍの４種類の分割断熱壁が製作される。
【００９７】
また、基礎壁３１５や連結壁３１１〜３１４と別体に設けられている固定具５１、本実施形態では、基礎壁３１５と連結壁３１４を連結する固定具５１１と、基礎壁３１５と連結壁３１３を連結する固定具５１２とを製作する。
【００９８】
具体的には、収容部６７に電線５２を収容したコーナー用断熱部材５６を固定カバー５４と補強部材５５とで挟み、ねじ５７によって固定カバー５４を補強部材５５に固定することで、図１２に示すような固定カバー５４と、補強部材５５と、コーナー用断熱部材５６と、電線５２とが一体化した固定具５１１を製作する。固定具５１２についても固定具５１１と同様、収容部９８に配管５３を収容したコーナー用断熱部材８３を固定カバー８１と補強部材８２とで挟み、ねじ５７によって固定カバー８１を補強部材５５に固定することで、図２５に示すような固定カバー８１と、補強部材８２と、コーナー用断熱部材８３と、配管５３とが一体化した固定具５１２を製作する。
【００９９】
この例では、異なる容積の断熱箱体１２を組み立てるため、連結壁３１１〜３１４毎に奥行き寸法の異なる分割断熱壁を製作したが、固定具５１１，５１２はそれぞれ１種類ずつ製作される。つまり、断熱箱体１２の容積が異なっても、背面用分割断熱壁３１５と右面用分割断熱壁３１４とを連結する固定具５１１と、この固定具５１１に一体化された電線５２は同一形状のものが用いられ、また、背面用分割断熱壁３１５と左面用分割断熱壁３１３とを連結する固定具５１２と、この固定具５１２に一体化された配管５３も同一形状のものが用いられる。これにより、組み立てられた断熱箱体１２には、容積が異なっていても断熱箱体１２の内部の同じ高さ位置に電線５２の接続部６８や配管５３の溶着部９９が配設されることになる。
【０１００】
次に、連結壁３１１〜３１４毎に製作した複数種類の奥行き寸法の分割断熱壁から１種類の奥行き寸法の分割断熱壁、例えば、奥行き寸法５００ｍｍの上面用分割断熱壁３１１、床面用分割断熱壁３１２、右面用分割断熱壁３１３及び左面用分割断熱壁３１４を選択する。
【０１０１】
次に、基礎壁３１５に対して選択した４つの連結壁３１１〜３１４を固定具５１で連結するとともに、隣り合う連結壁３１１〜３１４を連結する。基礎壁３１５と連結壁３１１〜３１４の連結構成の一例を図３３に示すように、左面用分割断熱壁３１４に固定具５１１をねじ５７により取り付ける。これにより、固定具５１１とともに固定具５１１の収容部６７に配設された電線５２が左面用分割断熱壁３１４に取り付けられる。
【０１０２】
次に、左面用分割断熱壁３１４と固定具５１１とが一体となったものに、背面用分割断熱壁３１５を取り付ける。これにより、基礎壁である背面用分割断熱壁３１５とこれに隣り合う連結壁である左面用分割断熱壁３１４とが連結固定され、内箱１４の右奥側のコーナー部が形成されるとともに、このコーナー部に配線５２が固定具５１１を介して配設される。このとき、背面用分割断熱壁３１５と左面用分割断熱壁３１４とで形成される隣り合う壁の角度は、補強部材５５の直角部分に対応して９０°に保持される。
【０１０３】
内箱１４の他のコーナー部も、分割断熱壁３１と固定具５１とを連結固定することにより形成される。これにより、隣り合う分割断熱壁３１の角度が９０°である内箱１４が形成され、直方体の断熱箱体１２が形成されるとともに、右面用分割断熱壁３１３と背面用分割断熱壁３１５とを連結する固定具５１２によって、この固定具５１２の収容部９８に配設された配管５３が内箱１４の左奥側のコーナー部に配設される。
【０１０４】
本実施形態では、奥行き寸法が５００ｍｍの連結壁３１１〜３１４を選択すると庫内容積が約４４０Ｌの断熱箱体１２を、奥行き寸法が６００ｍｍの連結壁３１１〜３１４を選択すると庫内容積が約５５０Ｌの断熱箱体１２を、奥行き寸法が７００ｍｍの連結壁３１１〜３１４を選択すると庫内容積が約６７０Ｌの断熱箱体１２を、奥行き寸法が７３０ｍｍの連結壁３１１〜３１４を選択すると庫内容積が約７０８Ｌの断熱箱体１２を、それぞれ得ることができる。
【０１０５】
また、断熱箱体１２の組み立て時に、第１の仕切り部材３７および第２の仕切り部材３８を所定の位置に設けることにより、冷蔵室３９、野菜室４０、製氷室４１、第１の冷凍室４２および第２の冷凍室４３が形成されるとともに、貯蔵室の前面開口部側において、右面用分割断熱壁３１３と左面用分割断熱壁３１４とが第１の仕切り部材３７および第２の仕切り部材３８によって連結固定される。
【０１０６】
そして、断熱箱体１２の組み立て途中、あるいは、組み立て後、配管５３に設けられた溶着部９９に冷凍サイクルを構成する圧縮機や凝縮器や蒸発器やサクションパイプを配管接続するとともに、電線５２に設けられた接続部６８に制御装置や送風ファンや発生装置１５０などの電気部品を接続する。
【０１０７】
上記構成によれば、次の効果を奏する。
【０１０８】
複数種類の奥行き寸法の連結壁３１１〜３１４から１種類の奥行き寸法の連結壁３１１〜３１４を選択し、選択した連結壁３１１〜３１４を固定具５１を介して基礎壁３１５に連結することで冷蔵庫１１の断熱箱体１２を形成する。したがって、この実施形態によれば、選択する連結壁３１１〜３１４の奥行き寸法を変更することで異なる容積の断熱箱体１２が得られるため、従来のように予め立体的な内箱を設ける構成よりも、断熱箱体１２を形成するための中間部品を略平板状に設けて中間部品のストックスペースの省スペース化が可能となるとともに、基礎壁３１５のような中間部品の一部を共通化することができるため、容積の異なる複数品種の冷蔵庫を効率よく生産することができる。
【０１０９】
しかも、本実施形態では、基礎壁３１５と連結壁３１１〜３１４とを連結することで内箱１４を形成するため、樹脂成型品のような抜きテーパを内箱１４の内面に設ける必要がなく、内箱１４において隣り合う壁２２〜２６を垂直に設けることができる。そのため、例えば、基礎壁３１５や連結壁３１１〜３１４の端部や突き合わせ部分に発泡断熱材を充填する等、内箱１４と外箱１３との間の一部に発泡断熱材を充填する場合に、内箱１４の内面を面接触状態で支持する治具を、異なる容積の断熱箱体１２に対して共通して使用することができ、複数品種の冷蔵庫を効率的に生産することができる。
【０１１０】
また、固定具５１が基礎壁３１５や連結壁３１３，３１４に対して別体に設けられているため、基礎壁３１５に連結壁３１３，３１４を連結固定しやすく断熱箱体１２に組み立て作業性を向上させることができる。しかも、固定具５１が、隣り合う分割断熱壁３１の角度を９０°に保持するため、断熱箱体１２の組み立て作業が容易となる。
【０１１１】
また、本実施形態では、組み立てる断熱箱体１２の容積が異なっても、同一形状の固定具５１１、５１２や電線５２や配管５３を用いることができ、部品の共通化を図ることができ、容積の異なる複数品種の冷蔵庫を効率よく生産することができる。
【０１１２】
しかも、組み立てられた断熱箱体１２では、容積が異なっていても断熱箱体１２の内部の同じ高さ位置に電線５２の接続部６８や配管５３の溶着部９９が配設されることから、制御装置や送風ファンなどの電線５２の接続部６８に接続される電子部品や、蒸発器などの配管５３の溶着部９９に溶着される冷凍サイクルを構成する部品の共通化を図りやすく、容積の異なる複数品種の冷蔵庫を効率よく生産することができる。
【０１１３】
なお、本発明は、左右壁の壁厚が３５ｍｍ以下という薄い形状の場合に、限られた設置スペースにおいて庫内容量を多くすることができる点で特に有効であり、本実施形態では、真空断熱パネルの厚さが約２０ｍｍ、内板と外板とを合わせた厚さが１．５ｍｍであり、左右壁の壁厚は、２１．５ｍｍであって、冷蔵庫の大容量化に更に有効な２５ｍｍ以下の厚さ寸法で構成されている。
【０１１４】
また、上記した本実施形態では、電線および配管が固定具とともに内箱のコーナー部に設けられた構成を用いて説明したが、それら以外の部品、例えば冷凍サイクルを構成する蒸発器に付着した霜の融解水を蒸発皿などの蒸発装置へ導水するドレンホースなどの部品を固定具に一体化して内箱のコーナー部に配設してもよい。このような場合、組み立てる断熱箱体１２の容積が異なっても、同一形状のドレンホースなどの部品を用いてもよい。
【０１１５】
（第２の実施形態）
次に、第２の実施形態について、図３４及び図３５を参照して説明する。なお、第１の実施形態と同一の構成のものについては同一の符号を付し、その構成の説明を省略する。なお、第２の実施形態では、断熱箱体１２の右奥側のコーナー部について説明するが、他のコーナー部にも適用することができる。
【０１１６】
この実施形態では、固定具１１１は、全体として断面Ｌ字状の柱状をなし、外箱１３の右面壁１８と背面壁２０とで形成されるコーナー部に沿って上下方向に延びた形状をなしており、断熱箱体１２の外側（庫外側）から隣り合う分割断熱壁３１、例えば、基礎壁である背面用分割断熱壁３１５と、連結壁である右面用分割断熱壁３１３とを連結する。
【０１１７】
固定具１１１は、外箱１３の右面壁１８及び背面壁２０との間で断面Ｌ字状の空間を形成する固定カバー１１２と、断面Ｌ字状の空間内に充填されたコーナー用断熱部材１１３とを有している。
【０１１８】
固定カバー１１２は、固定ネジ１１４によって右面壁１８及び背面壁２０に固定されており、この例では、右面壁１８との固定位置と背面壁２０との固定位置とが固定カバー１１２の長手方向（上下方向）にずれて配置されている。
【０１１９】
コーナー用断熱部材１１３は、図３５に示すように、固定カバー１１２と外箱１３との間で形成された空間に配設されており、隣り合う分割断熱壁３１の突き合わせ部分、つまり、断熱部材１５が配設されていない部分を覆うように配置されている。
【０１２０】
また、コーナー用断熱部材１１３における分割断熱壁３１の断熱部材１５に近接する部位には、長手方向に沿って延び、外箱１３側に開口する凹状の収容部１１５が形成されている。この収容部１１５には電線５２や配管５３が収容されている。
【０１２１】
このような固定具１１１は、固定カバー１１２が右面壁１８及び背面壁２０との間でコーナー用断熱部材１１３を挟持しつつ固定ネジ１１４によって右面壁１８及び背面壁２０に固定される。これにより、隣り合う右面用分割断熱壁３１３および背面用分割断熱壁３１５が固定具１１１によって連結固定されるとともに、隣り合う分割断熱壁３１４，３１５の角度が、固定カバー１１２のＬ字形状に対応して９０°に保持される。
【０１２２】
このような本実施形態の固定具１１１を用いることによっても隣り合う基礎壁と連結壁とを連結固定させることができる。
【０１２３】
（第３の実施形態）
次に、第３の実施形態について、図３６を参照して説明する。なお、上記した第１の実施形態と同一の構成のものについては同一の符号を付し、その構成の説明を省略する。なお、第２の実施形態では、断熱箱体１２の左奥側のコーナー部について説明するが、他のコーナー部にも適用することができる。
【０１２４】
この実施形態では、図３６に示すように、連結壁である左面用分割断熱壁３１４の左面壁１９の後端部には、直角に折曲る後部フランジ部１６４が一体に設けられている。この後部フランジ部１６４には、基礎壁である背面用分割断熱壁３１５の背面壁２０の端部（左辺部）が重ね合わせられている。
【０１２５】
これに対し、基礎壁である背面用分割断熱壁３１５の背面壁２６には、左面用分割断熱壁３１４の左面壁２５の内面に当接しながら庫内側（図で左側）に延びる突出部３６８が一体に設けら、この突出部３６８の内側に例えば発泡スチロールの成形品からなる断熱材３６７が収容されている。また、左面壁２５の内面には位置決め部３６９が突起状に設けられている。
【０１２６】
そして、左面壁２５から突出する位置決め部３６９に背面用分割断熱壁３１５から突出する突出部３６８の先端を当接させると共に、左面壁１９の後端部に設けられた後部フランジ部１６４を背面壁２０の端部に重ね合わせ固定ボルト１３０によって共締めする。これにより、隣り合う左面用分割断熱壁３１４および背面用分割断熱壁３１５が固定ボルト１３０によって連結固定されるとともに、隣り合う分割断熱壁３１４，３１５の角度が９０°に保持される。つまり、この実施形態では、固定ボルト１３０が連結壁を基礎壁に連結する固定部として機能する。
【０１２７】
このような本実施形態の固定ボルト１３０を用いることによっても隣り合う基礎壁と連結壁とを連結固定させることができる。
【０１２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２９】
図面中、１１は冷蔵庫、１２は断熱箱体、１３は外箱、１４は内箱、１５，１２０は断熱部材、３１，３１１，３１２，３１３，３１４は分割断熱壁（連結壁）、３１５は分割断熱壁（基礎壁）、３７，３８は仕切り部材（連結部材）、５１，５１１，５１２，１１１は固定具（固定部）、５２は電線、５３は配管、６７，９８，１１６は収容部（保持部）、６８は接続部、７２，１０２，１１４はシール部材、９９は溶着部を示す。
【図１】
2013120013.tif 000003
【図２】
2013120013.tif 000004
【図３】
2013120013.tif 000005
【図４】
2013120013.tif 000006
【図５】
2013120013.tif 000007
【図６】
2013120013.tif 000008
【図７】
2013120013.tif 000009
【図８】
2013120013.tif 000010
【図９】
2013120013.tif 000011
【図１０】
2013120013.tif 000012
【図１１】
2013120013.tif 000013
【図１２】
2013120013.tif 000014
【図１３】
2013120013.tif 000015
【図１４】
2013120013.tif 000016
【図１５】
2013120013.tif 000017
【図１６】
2013120013.tif 000018
【図１７】
2013120013.tif 000019
【図１８】
2013120013.tif 000020
【図１９】
2013120013.tif 000021
【図２０】
2013120013.tif 000022
【図２１】
2013120013.tif 000023
【図２２】
2013120013.tif 000024
【図２３】
2013120013.tif 000025
【図２４】
2013120013.tif 000026
【図２５】
2013120013.tif 000027
【図２６】
2013120013.tif 000028
【図２７】
2013120013.tif 000029
【図２８】
2013120013.tif 000030
【図２９】
2013120013.tif 000031
【図３０】
2013120013.tif 000032
【図３１】
2013120013.tif 000033
【図３２】
2013120013.tif 000034
【図３３】
2013120013.tif 000035
【図３４】
2013120013.tif 000036
【図３５】
2013120013.tif 000037
【図３６】
2013120013.tif 000038